(57)【特許請求の範囲】
【請求項１】
器具本体（１０）と発光ユニット（２０）とからなる照明装置（１）であって、
前記発光ユニットは、
複数の発光素子と、
前記複数の発光素子が実装される長尺状の発光素子基板（２３１，２３２）と、
前記発光素子基板が配される長尺状の支持部材（２４）と、
前記発光素子基板を覆う長尺状の透光性カバー（２２）と、を備え、
前記器具本体は、
発光素子と所定の間隙を設けて配置され、長尺状に形成された底板部（１１１）と、
前記底板部の長辺のそれぞれに沿って設けられた側縁部（１１２；１１２ａ，１１２ｂ）と、
前記発光素子が配置された方向とは異なる方向に前記底板部の一部から突出する底板突出部（１５０ａ，１５０ｂ，１５０ｃ，１５０ｄ）と、
前記底板突出部に形成され、前記底板部が取り付けられる被取付面から突出する吊りボルトが挿入される底板部取付用孔部（１５１ａ，１５１ｂ，１５１ｃ，１５１ｄ）とを有しており、
前記底板部（１１１）及び前記側縁部（１１２；１１２ａ，１１２ｂ）により、前記発光ユニット（２０）を取り付けるための発光ユニット取付凹部（１１３）が形成され、
前記側縁部と前記底板部との成す角（θ）は鈍角であるとともに、前記発光ユニット（２０）は前記透光性カバー（２２）の一部が前記器具本体（１０）の前記発光ユニット取付凹部（１１３）を形成する前記側縁部の内壁面に接触した状態で該発光ユニット取付凹部に取り付けられることを特徴とする照明装置。
【請求項２】
前記底板突出部は、前記底板部の上方に前記底板突出部と同方向に突出する凸状部材の高さ以上の高さを有すること
を特徴とする請求項１に記載の照明装置。
【請求項３】
前記器具本体は、前記底板部と、前記側縁部と、側板（１２）とを備えた取付部材（１１）を有し、
前記取付部材は、前記底板突出部の内側に接触して前記吊りボルトが貫通する座金を有すること
を特徴とする請求項１又は２に記載の照明装置。
【請求項４】
前記器具本体は、前記底板部と、前記側縁部と、側板（１２）とを備えた取付部材（１１）を有し、
前記取付部材は、前記底板部と前記発光素子との間に前記吊りボルトを収容可能な収容空間部を有すること
を特徴とする請求項１又は２に記載の照明装置。
【請求項５】
前記取付部材は、前記吊りボルトに取り付けるナットを有し、
前記ナットは、前記ナットの一部が前記収容空間部に配置された状態で前記吊りボルトに取り付けられること
を特徴とする請求項４記載の照明装置。
【請求項６】
前記器具本体は、前記底板部と、前記側縁部と、側板（１２）とを備えた取付部材（１１）を有し、
前記取付部材における前記側縁部と前記底板部との成す角（θ）は鈍角であって、前記鈍角の角度は、前記器具本体に前記発光ユニットを取り付ける前よりも取り付けた後の方が大きいこと
を特徴とする請求項１又は２に記載の照明装置。
【発明の詳細な説明】
【技術分野】
【０００１】
本発明は、天井等に取り付けられる照明装置に関する。
【背景技術】
【０００２】
従来、蛍光灯等の発光体が照明器具の器具本体に取り付けられ、器具本体が天井や壁等の被取付面に取り付けられる照明装置が広く用いられている。また、近年、発光素子として、従来用いられてきた白熱電球や蛍光灯に比べて消費電力が少なく、耐久性にも優れた発光ダイオード（ＬＥＤ：Ｌｉｇｈｔ  Ｅｍｉｔｔｉｎｇ  Ｄｉｏｄｅ）が多く用いられている。
このため、ＬＥＤを発光素子として使用した、天井又は壁取付用の照明装置が多数提案されている。例えば、以下の特許文献１には、発光素子を備える発光ユニットを天井等に取り付けられた器具本体に取り付けて、発光ユニットに対して電力を供給することにより、発光ユニットを発光させる照明装置が開示されている。また、例えば以下の特許文献２には、板金製の器具本体に板金製の反射笠を止め金具にて取り付ける照明装置が開示されている。さらに、以下の特許文献３には、回路基板にＬＥＤを実装したＬＥＤモジュールと、前記ＬＥＤモジュールが設置されるとともに、外方に突出した凹部が形成されたシャーシと、前記凹部に形成された取付孔に天井から垂下する吊りボルトを挿通した状態で、前記凹部内で前記吊りボルトを保持することにより前記シャーシを固定する固定手段と、を有する照明器具が開示されている。
【先行技術文献】
【特許文献】
【０００３】
【特許文献１】特開２０１３−１７９０１４号公報
【特許文献２】特許第４０４５７８８号公報
【特許文献３】特開２０１３−６２０６１号公報
【発明の概要】
【発明が解決しようとする課題】
【０００４】
照明器具は、被取付面から外れないように、例えば被取付面などに設けられた吊りボルトなどにネジ止めして取り付けられる。しかしながら、照明器具が被取付面から外れないように吊りボルトなどに強くネジ止めしすぎると、被取付面に取り付けるための照明器具の取付部材が変形してしまうという問題が生じる。
【０００５】
本発明の目的は、被取付面に取り付ける取付部材の変形及び被取付面からの外れを防止できる照明装置を提供することにある。
【課題を解決するための手段】
【０００６】
上記課題を解決するために、本発明の一態様に係る照明装置は、器具本体と発光ユニットとからなる照明装置であって、前記発光ユニットは、複数の発光素子と、前記複数の発光素子が実装される長尺状の発光素子基板と、前記発光素子基板が配される長尺状の支持部材と、前記発光素子基板を覆う長尺状の透光性カバーと、を備え、前記器具本体は、発光素子と所定の間隙を設けて配置され、長尺状に形成された底板部と、前記底板部の長辺のそれぞれに沿って設けられた側縁部と、前記発光素子が配置された方向とは異なる方向に前記底板部の一部から突出する底板突出部と、前記底板突出部に形成され、前記底板部が取り付けられる被取付面から突出する吊りボルトが挿入される底板部取付用孔部とを有しており、前記側縁部と前記底板部との成す角は、鈍角であるとともに、前記発光ユニットは前記器具本体の内壁面に接触した状態で取り付けられることを特徴とする。
【発明の効果】
【０００７】
本発明によれば、被取付面に取り付ける取付部材の変形及び被取付面からの外れを防止できる。
【図面の簡単な説明】
【０００８】
【図１】本発明の一実施形態に係る照明装置の外観を説明する斜視図である。
【図２】本発明の一実施形態に係る照明装置の外観を説明する正投影図である。
【図３】本発明の一実施形態に係る照明装置の発光ユニット側からの外観を説明する斜視図である。
【図４】本発明の一実施形態に係る照明装置の器具本体の外観を説明する斜視図である。
【図５】本発明の一実施形態に係る照明装置の発光ユニットの外観を説明する斜視図である。
【図６】本発明の一実施形態に係る照明装置の取付部材の外観を説明する斜視図である。
【図７】本発明の一実施形態に係る照明装置の取付部材に形成された底板突出部の近傍の拡大図である。
【図８】本発明の一実施形態に係る照明装置の構成を説明する断面図である。
【図９】本発明の一実施形態に係る照明装置の器具本体を構成する取付部材と側板の取付を説明する斜視図である。
【図１０】本発明の一実施形態に係る器具本体の側板の外観を説明する斜視図である。
【図１１】本発明の一実施形態に係る器具本体の側板の外観を説明する正投影図である。
【図１２】本発明の一実施形態に係る器具本体の側板の他の構成例を示す斜視図である。
【図１３】本発明の一実施形態に係る発光ユニットの断面図である。
【図１４】本発明の一実施形態に係る発光ユニットの構成を示す分解斜視図である。
【図１５】本発明の一実施形態に係る発光ユニットが備える透光性カバーと支持部材の係合部を示す分解斜視図である。
【図１６】本発明の一実施形態に係る透光性カバーが有するエンドカバーの正投影図である。
【図１７】本発明の一実施形態に係る基板群の構成例を説明する平面図である。
【図１８】本発明の一実施形態に係る基板群の他の構成例を説明する平面図である。
【図１９】本発明の一実施形態に係る支持部材の構成例を説明する斜視図である。
【図２０】本発明の一実施形態に係る配線の接続の構成例を説明する断面斜視図である。
【図２１】本発明の一実施形態に係る基板固定部材２５の配置を説明する斜視図である。
【図２２】本発明の一実施形態に係る基板固定部材２５の構成例を説明する正投影図である。
【図２３】本発明の一実施形態に係る基板固定部材２５の他の構成例を説明する正投影図である。
【図２４】本発明の一実施形態に係る反射部品を基板固定部材２５に取り付けた状態を説明する斜視図である。
【図２５】本発明の一実施形態に係る反射部品を基板固定部材２５に取り付けた状態を説明する断面図である。
【図２６】本発明の一実施形態に係る基板群の構成例を説明する平面図である。
【図２７】本発明の一実施形態に係る配線を保護する保護機構を説明する断面図である。
【発明を実施するための形態】
【０００９】
以下、本発明の一実施形態に係る照明装置について説明する。なお、以下の実施形態において、照明装置が天井に取り付けられた場合に天井と対向する方向を照明装置の上方向とし、床方向を照明装置の下方向として説明する場合がある。
【００１０】
［照明装置の全体構成］
図１は、本発明の一実施形態に係る照明装置１の外観を示す斜視図である。図２は、照明装置１の外観を示す正投影図であり、図２（Ａ）は照明装置１の平面図、図２（Ｂ）は照明装置１の右側面図、図２（Ｃ）は照明装置１の底面図、図２（Ｄ）は照明装置１の正面図である。なお、照明装置１の左側面図は右側面図と略同様であり、照明装置１の背面図は正面図と略同様であるため図示を省略する。また、図１及び図２では、理解を容易にするため、照明装置１の構成要素ではない吊りボルト１５９ａ，１５９ｂ，１５９ｃ，１５９ｄ（以下、１５９ａ，１５９ｂ，１５９ｃ，１５９ｄを「１５９ａ〜１５９ｄ」と略記する場合がある）が併せて図示されている。図３は、照明装置１の発光ユニット２０側からの外観を示す斜視図である。
【００１１】
図１から図３に示すように、照明装置１は、全体的に長尺状の形状を有している。照明装置１は、例えば天井又は壁等の被取付面に取り付けられる照明装置用器具本体（以下、「器具本体」と略記する）１０と、発光素子２１（図３参照）を備えて器具本体１０に取り付けられる照明装置用発光ユニット（以下、「発光ユニット」と略記する）２０とを有している。発光素子２１は、発光ユニット２０において、器具本体１０が設けられている方向とは反対方向に配置されている。図３に示すように、発光ユニット２０は、例えばＬＥＤ等の発光素子２１と、発光素子２１が実装された基板群２３とを覆う透光性カバー２２とを有している。
【００１２】
図１及び図２に戻って、器具本体１０は、長尺状に形成された取付部材１１と、取付部材１１の長手方向の両端部に取り付けられた側板１２とを有している。以下、取付部材１１の長手方向の両端部のうち、正面側端部に取り付けられた側板１２を「側板１２ａ」と称し、背面側端部に取り付けられた側板１２を「側板１２ｂ」と称する場合がある。また、側板１２ａ及び側板１２ｂを区別することなく総称する場合には「側板１２」と称する。取付部材１１は、発光素子２１と所定の間隙を設けて配置されて長尺状に形成された底板部１１１と、底板部１１１の長辺のそれぞれに沿って設けられた側縁部１１２ａ，１１２ｂとを有している。側縁部１１２ａは、取付部材１１の左側面側に設けられ、側縁部１１２ｂは、取付部材１１の右側面側に設けられている。
【００１３】
また、取付部材１１は、発光素子２１が配置された方向とは異なる方向に底板部１１１の一部から突出する底板突出部１５０ａ，１５０ｂ，１５０ｃ，１５０ｄ（以下、１５０ａ，１５０ｂ，１５０ｃ，１５０ｄを「１５０ａ〜１５０ｄ」と略記する場合がある）を有している。さらに、取付部材１１は、底板突出部１５０ａ，１５０ｂ，１５０ｃ，１５０ｄに形成されて底板部１１１が取り付けられる被取付面（例えば天井など）から突出する吊りボルト１５９ａ，１５９ｂ，１５９ｃ，１５９ｄが挿入される底板部取付用孔部１５１ａ，１５１ｂ，１５１ｃ，１５１ｄ（以下、１５１ａ，１５１ｂ，１５１ｃ，１５１ｄを「１５１ａ〜１５１ｄ」と略記する場合がある）を有している。
【００１４】
底板突出部１５０ａ及び底板突出部１５０ｂは側板１２ａ寄りに配置され、底板突出部１５０ｃ及び底板突出部１５０ｄは、側板１２ｂ寄りに配置されている。底板突出部１５０ａは、底板突出部１５０ｂよりも側板１２ａ側に配置され、底板突出部１５０ｄは、底板突出部１５０ｃよりも側板１２ｂ側に配置されている。底板突出部１５０ａ〜１５０ｄは、略一直線上に底板部１１１に配置されている。
【００１５】
ここで、器具本体１０に対する発光ユニット２０の取付け構造について図４及び図５を用いて説明する。図４は、取付部材１１から発光ユニット２０を取り外した状態の照明装置１であって、取付部材１１を発光ユニット２０を取り付ける側から見た斜視図である。なお、図４では、理解を容易にするため、照明装置１の構成要素ではない吊りボルト１５９ａ〜１５９ｄが併せて図示されている。図５は、取付部材１１が取り外された状態の照明装置１であって、取付部材１１に取り付けられる側から見た発光ユニット２０の斜視図である。
【００１６】
図４に示すように、器具本体１０は、取付部材１１及び側板１２と、複数（本例では２つ）のバネ部１３と、端子台１４と、電力供給ケーブルを照明装置１内に引き込むための電力供給ケーブル用孔部１６と、取付部材１１及び側板１２を固定する複数（本例では４つ）の固定部材１７（図１参照）とを備えている。電力供給ケーブル用孔部１６は、取付部材１１の底板部１１１のほぼ中央に形成されている。
【００１７】
端子台１４は、電力供給ケーブル用孔部１６と底板突出部１５０ｃとの間であって電力供給ケーブル用孔部１６寄りに配置されている。底板突出部１５０ｃ，１５０ｄは、端子台１４及び側板１２ｂの間に配置されている。底板突出部１５０ａ，１５０ｂは、電力供給ケーブル用孔部１６と側板１２ａとの間に配置されている。
【００１８】
２つのバネ部１３及び２つの固定部材１７は、発光ユニット２０（図４では不図示）に対向する底板部１１１の対向面に取り付けられている。２つのバネ部１３のうち、第１バネ部１３ａは側板１２ａ側に配置され、第２バネ部１３ｂは側板１２ｂ側に配置されている。以下、第１バネ部１３ａ及び第２バネ部１３ｂを総称して「バネ部１３」と称する場合がある。第１バネ部１３ａは、側板１２ａと底板突出部１５０ａとの間に配置されている。第２バネ部１３ｂは、側板１２ｂと底板突出部１５０ｄとの間に配置されている。
【００１９】
図５に示すように、発光ユニット２０は、発光素子２１（図５では不図示）及び透光性カバー２２と、長尺状に形成された支持部材２４と、複数（本例では２つ）のバネ受部２７ａ，２７ｂと、電源部２８とを備えている。透光性カバー２２は、発光素子２１が配置された側の支持部材２４を覆う主カバー部２２１と、主カバー部２１１の長手方向の一端部に配置された第１エンドカバー２２２と、他端部に配置された第２エンドカバー２２３とを有している。第１エンドカバー２２２は照明装置１の正面側に配置され、第２エンドカバー２２３は照明装置１の背面側に配置されている。
【００２０】
支持部材２４の電源部支持面２４ｂには、電源部２８と、発光ユニット２０を器具本体１０に取り付けるための第１バネ受部（第１の取付部の一例）２７ａ及び第２バネ受部（第２の取付部の一例）２７ｂとが設けられている。電源部２８は直方体形状を有している。電源部２８の長手方向の一端は第１エンドカバー２２２側に向けて配置され、同方向の他端は第２エンドカバー２２３側に向けて配置されている。電源部２８の長手方向の他端は、発光ユニット２０を取付部材１１に取り付けたときに、電力供給ケーブル用孔部１６の近傍に配置される。
【００２１】
第１バネ受部２７ａは、第１エンドカバー２２２と電源部２８の長手方向の一端との間であって、第１エンドカバー２２２寄りに配置されている。第２バネ受部２７ｂは、第２エンドカバー２２３と電源部２８の長手方向の他端との間であって、第２エンドカバー２２３寄りに配置されている。第１バネ受部２７ａ及び第２バネ受部２７ｂは同一の形状を有している。第１及び第２バネ受部２７ａ，２７ｂは、薄板長方形状の部材の両端部を折り曲げたアーチ形状を有している。第１及び第２バネ受部２７ａ，２７ｂは、両端部が支持部材２４の長辺に沿うように配置されている。
【００２２】
第１及び第２バネ受部２７ａ，２７ｂは、器具本体１０の第１及び第２バネ部１３ａ，１３ｂ（図４参照）と係合することにより、発光ユニット２０を器具本体１０に取り付けた状態を維持することに利用される。具体的には、第１バネ受部２７ａは器具本体１０の第１バネ部１３ａと係合し、第２バネ受部２７ｂは器具本体１０の第２バネ部１３ｂと係合する。すなわち、第１バネ部１３ａ及び第２バネ部１３ｂと第１バネ受部２７ａ及び第２バネ受部２７ｂは、取付部材１１に発光ユニット２０を取り付けた状態を維持する取付状態維持部として機能する。なお、取付状態維持部は、発光ユニット２０が器具本体１０に取り付けた状態が維持されれば、バネ部１３及びバネ受部２７と異なる形状であってもよい。
【００２３】
図４に示すように、発光ユニット２０側の器具本体１０の端部は、取付部材１１及び側板１２によって矩形状の開口となっている。第１及び第２バネ受部２７ａ，２７ｂと第１及び第２バネ部１３ａ，１３ｂとを係合すると、発光ユニット２０は、第１及び第２バネ部１３ａ，１３ｂのバネ機構によって器具本体１０の開口に引き寄せられて透光性カバー２２を入り込ませるようにして器具本体１０に取り付けられる。
【００２４】
［器具本体］
次に、器具本体１０の各部の構成について図１、図２及び図４を参照しつつ図６から図１１を用いて説明する。図６は、取付部材１１を下方向から見た状態を示す底面図である。図７は、底板突出部１５０ａ，１５０ｂ近傍を拡大した照明装置１の拡大図である。図８は、底板部取付用孔部１５１ａの中心軸を含み照明装置１の長手方向に直交する方向に切断した照明装置１の断面図である。図７では、理解を容易にするため、照明装置１の構成要素ではない吊りボルト１５９ａ，１５９ｂが併せて図示されている。また、図８では、理解を容易にするため、照明装置１の構成要素ではない吊りボルト１５９ａと、照明装置１が取り付けられる被取付面２００が併せて図示されている。
【００２５】
（取付部材）
図１に示すように、取付部材１１は、長尺状に形成された底板部１１１と、底板部１１１の長辺に沿って設けられた側縁部１１２（１１２ａ及び１１２ｂ）とを含む。底板部１１１及び側縁部１１２（１１２ａ及び１１２ｂ）により、発光ユニット２０を取り付けるための発光ユニット取付凹部１１３が形成される。
【００２６】
図６に示すように、取付部材１１は、取付部材１１と側板１２とを係合するための折り曲げ部１１４（１１４ａ及び１１４ｂ）と、取付部材１１と側板１２とを固定するために固定部材１７が挿入される側板固定用孔部１１５とを含む。折り曲げ部１１４は、底板部１１１の両端部にそれぞれ形成されている。側板固定用孔部１１５は側縁部１１２の長手方向の両端部近傍にそれぞれ形成されている。
【００２７】
底板部１１１は、天井や壁等の被取付面と対向する面を有している。上述のとおり、底板部１１１には、底板突出部１５０ａ〜１５０ｄが形成されている。図６及び図７に示すように、底板突出部１５０ａ〜１５０ｄ（図７では、底板突出部１５０ｃ，１５０ｄは不図示）は、中空の円錐台形状を有している。底板突出部１５０ａ〜１５０ｄは、底板部１１１を取付部材１１の下方向からプレス加工によって押し上げて形成されている。底板部取付用孔部１５１ａ〜１５１ｄは、底板突出部１５０ａ〜１５０ｄの上底の中央部を円形状に取り除いて形成されている。
【００２８】
図４に示すように、取付部材１１は、底板突出部１５０ａ，１５０ｂ，１５０ｃ，１５０ｄの内側に接触して吊りボルト１５９ａ，１５９ｂ，１５９ｃ，１５９ｄが貫通する座金１５３ａ，１５３ｂ，１５３ｃ，１５３ｄ（以下、１５３ａ，１５３ｂ，１５３ｃ，１５３ｄを「１５３ａ〜１５３ｄ」と略記する場合がある）を有している。また、取付部材１１は、吊りボルト１５９ａ，１５９ｂ，１５９ｃ，１５９ｄに取り付けるナット１５４ａ，１５４ｂ，１５４ｃ，１５４ｄ（以下、１５４ａ，１５４ｂ，１５４ｃ，１５４ｄを「１５４ａ〜１５４ｄ」と略記する場合がある）を有している。取付部材１１は、吊りボルト１５９ａ〜１５９ｄと、吊りボルト１５９ａ〜１５９ｄに取り付けられたナット１５４ａ〜１５４ｄとによって被取付面に取り付けられる。座金１５３ａ〜１５３ｄは、底板突出部１５０ａ〜１５０ｄとナット１５４ａ〜１５４ｄとの間に挟まれて配置されている。座金１５３ａ〜１５３ｄは、ナット１５４ａ〜１５４ｄを吊りボルト１５９ａ〜１５９ｄに取り付けて締め付けた際に、ナット１５４ａ〜１５４ｄが底板部取付用孔部１５１ａ〜１５１ｄから取付部材１１の外部に飛び出してしまうのを防止するために用いられている。
【００２９】
図８に示すように、取付部材１１は、底板部１１１と発光素子２１との間に吊りボルト１５０ａを収容可能な収容空間部１５５を有している。収容空間部１５５は、器具本体１０と発光ユニット２０との間に形成される空間であり、より具体的には取付部材１１及び側板１２と発光ユニット２０の支持部材２４との間に形成される空間である。取付部材１１は、底板突出部１５０ａ〜１５０ｄ（底板突出部１５０ｂ，１５０ｃ，１５０ｄは不図示）を被取付面２００に接触させた状態で取り付けられる。取付部材１１が被取付面２００に取り付けられると、吊りボルト１５９ａ〜１５９ｄ（吊りボルト１５９ｂ，１５９ｃ，１５９ｄは不図示）は、支持部材２４に接触しない程度に収容空間部１５５内に突出する。取付部材１１が被取付面２００に取り付けられると、ナット１５４ａ〜１５４ｄ（ナット１５４ｂ，１５４ｃ，１５４ｄは不図示）は、ナット１５４ａ〜１５４ｄの一部が収容空間部１５５に配置された状態で吊りボルト１５９ａ〜１５９ｄ（吊りボルト１５９ｂ，１５９ｃ，１５９ｄは不図示）に取り付けられる。
【００３０】
底板突出部１５０ａ〜１５０ｄは、底板部１１１の上方に底板突出部１５０ａ〜１５０ｄと同方向に突出するネジ（凸状部材の一例）１３１の高さ以上の高さを有している。ネジ１３１は、第２ばね部材１３ｂを底板部１１１に取り付けるためのネジである。また、底板突出部１５０ａ〜１５０ｄは、ネジ１３１の他に底板部１１１の上方に突出する部材として端子台１４を設置するための端子台固定用突起やアース部及び丸穴保護ブッシュの一部などのあらゆる凸状部材の高さ以上の高さを有している。底板突出部１５０ａ〜１５０ｄが、ネジ１３１のように底板部１１１の上方に突出する凸状部材の高さ以上の高さを有することにより、取付部材１１を被取付面２００に取り付けた際に、底板突出部１５０ａ〜１５０ｄが被取付面２００に確実に接触できる。
【００３１】
底板部の両長辺に沿って側縁部が設けられた従来の取付部材では、端子台を底板部に取り付けるためのネジなどの凸状部材が底板部の上方に存在する。このような、従来の取付部材は、底板部に底板突出部を有していないため、取付部材を被取付面に取り付けると、吊りボルト周辺において底板部と被取付面との間に隙間が生じる。本願発明者らは、この隙間に起因して、吊りボルト及びナットによって取付部材を被取付面に取り付ける際に、ナットの締め付けを強くすればするほど側縁部の両端部が遠ざかる方向に変形してしまうことを見出した。すなわち、ナットの締め付けを強くすればするほど取付部材が被取付面側に引っ張られて側縁部が開いてしまい、側縁部と底板部との成す角（図８に示す角度θ）が大きくなってしまう。取付部材のこの変形は、側縁部と底板部との成す角が鈍角である場合に顕著である。取付部材にこの変形が生じると、器具本体と光学ユニットとの間に隙間が生じ、照明装置１の見栄えが劣化するという問題が生じる。一方、取付部材の変形を防止するためにナットを締め付ける強さを弱くすると、取付部材が被取付面から外れてしまう可能性が高くなるという問題が生じる。
【００３２】
これに対し、本実施形態による照明装置１では、取付部材１１は、被取付面に取り付ける際に吊りボルト１５９ａ〜１５９ｄの周辺に位置する領域に底板突出部１５０ａ〜１５０ｄを有している。このため、照明装置１では、取付部材１１を被取付面２００に取り付けても吊りボルト１５９ａ〜１５９ｄの周辺において底板部１１１と被取付面２００との間に隙間が生じにくい。また、底板突出部１５０ａ〜１５０ｄは、ネジ１３１などの凸状部材の高さ以上の高さを有している。このため、照明装置１では、取付部材１１を被取付面２００に取り付けても吊りボルト１５９ａ〜１５９ｄの周辺において底板部１１１と被取付面２００との間に隙間がさらに生じにくくなる。これにより、照明装置１は、側縁部１１２と底板部１１１との成す角θが鈍角であっても、取付部材１１の変形を防止して、照明装置１の見栄えを向上できる。さらに、ナット１５４ａ〜１５４ｄを十分に締め付けることができるので、取付部材１１が被取付面２００から外れてしまうのを防止できる。
【００３３】
図１、図４、図７及び図８に示すように、側縁部１１２は、例えば第１側縁部１１２ａ及び第２側縁部１１２ｂからなる。以下、第１側縁部１１２ａ及び第２側縁部１１２ｂのいずれかに限定されない場合には、第１側縁部１１２ａ及び第２側縁部１１２ｂを「側縁部１１２」と総称する場合がある。
【００３４】
側縁部１１２は、発光ユニット２０の光照射方向に向かって広がる形状を有している。第１側縁部１１２ａ及び第２側縁部１１２ｂの少なくとも一方が発光ユニット２０の光照射方向に向かって広がる形状を有していればよい。すなわち、側縁部１１２と底板部１１１との成す角θ（図８参照）は、鈍角となっている。側縁部１１２は、取付部材１１に側板１２を固定するための第３の孔部である側板固定用孔部１１５（１１５ａ，１１５ｂ，１１５ｃ及び１１５ｄ）を有する（図７参照）。側板固定用孔部１１５は、後述する側板１２の取付部材固定用孔部１２３ａと対向する位置に設けられている。
【００３５】
発光ユニット取付凹部１１３は、合板等の材料を曲げ加工することにより、発光素子２１と発光素子２１を覆う透光性カバー２２とを含む発光ユニット２０の透光性カバー２２が入り込むように開口が設けられて形成される。発光ユニット取付凹部１１３は発光ユニット取付凹部１１３の開口端縁に向かって広がっている。ここで、「発光ユニット取付凹部１１３」とは、第１側縁部１１２ａ及び第２側縁部１１２ｂ、並びに第１側板１２ａ及び第２側板１２ｂで囲まれる空間をいう。
【００３６】
図９は、取付部材１１と側板１２の取付の様子を示す分解斜視図である。図９に示すように、折り曲げ部１１４（１１４ａ及び１１４ｂ）は、取付部材１１と側板１２とを係合するための係合部である。折り曲げ部１１４は、取付部材１１の一部を切り起こして、側板１２に設けられた係合用孔部１２２ａの内側で立ち上がるように形成される。折り曲げ部１１４は、底板部１１１に設けられているが、例えば側縁部１１２等の底板部１１１以外の部分に設けられていてもよい。
【００３７】
（側板）
図１に戻って、側板１２は、取付部材１１の長手方向の両端に取り付けられ、樹脂材料で形成されている。第１側板１２ａは、取付部材１１の一端を覆うように取付部材１１に取り付けられている。第２側板１２ｂは、取付部材１１の他端を覆うように取付部材１１に取り付けられている。取付部材１１の両端に第１側板１２ａ及び第２側板１２ｂを取り付けることにより、発光ユニット２０を取り付ける発光ユニット取付凹部１１３の開口が形成される。
【００３８】
図１０（Ａ）及び図１０（Ｂ）は、側板１２の外観を示す斜視図である。図１１は、側板１２の外観を示す正投影図であり、図１１（Ａ）は側板１２の正面図であり、図１１（Ｂ）は側板１２の右側面図であり、図１１（Ｃ）は側板１２の左側面図であり、図１１（Ｄ）は側板１２の背面図であり、図１１（Ｅ）は側板１２の平面図であり、図１１（Ｆ）は側板１２の底面図である。なお、側板１２の「正面」とは、照明装置１の外面となる面をいう。また、側板１２の「背面」とは、発光ユニット取付凹部１１３側に対向する面をいう。
【００３９】
図１０及び図１１に示すように、側板１２は、取付部材１１の長手方向の端部を覆う主面部１２１と、主面部１２１に設けられた開口部１２１ａと、開口部１２１ａを塞ぐように開口部１２１ａ内に設けられ、主面部１２１から切り離し可能に形成されたはめ込み部１２１ｂとを備えている。はめ込み部１２１ｂは、例えば複数の照明装置１が、側板１２同士が対向する状態で照明装置１の長手方向に列状に並べられて設置される場合に、側板１２から切り離される。これにより、側板１２に開口部１２１ａが形成され、複数の照明装置１の側板１２の開口部１２１ａ同士が対向する状態で照明装置１が設置される。したがって、開口部１２１ａを介して電力供給ケーブルを引き回すことにより、複数の照明装置１を互いに接続することができる。
【００４０】
側板１２は、取付部材１１（図示せず）側に突出する第１の突出部１２２と、第１の突出部１２２に設けられた第１の孔部である係合用孔部１２２ａとを備えている。第１の突出部１２２は、薄板長方形状を有している。第１の突出部１２２に設けられた係合用孔部１２２ａ内には、取付部材１１に設けられた折り曲げ部１１４が切り起こされて立ち上がって配置される。これにより、側板１２が取付部材１１と固定され、かつ側板１２が取付部材１１から外れにくくなる。
【００４１】
側板１２は、取付部材１１側に突出し、取付部材１１に固定される第２の突出部１２３を有する。第２の突出部１２３には、第２の孔部である取付部材固定用孔部１２３ａが設けられている。第２の突出部１２３は、四角形状の薄板状部と、この薄板状部の周囲端辺に取付部材１１の側縁部１１２（図示せず）側に突出する側壁とを有している。この側壁は、第１の突出部１２３に対して近い側の薄板状部の周囲端辺と、主面部１２１に対向する薄板状部の周囲端辺とに設けられ、第１の突出部１２３に対して遠い側の薄板状部の周囲端辺には設けられていない。取付部材固定用孔部１２３ａは、取付部材１１に設けられた第３の孔部である側板固定用孔部１１５と対向する位置に設けられている。側板１２は、側板１２の取付部材固定用孔部１２３ａと取付部材１１の側板固定用孔部１１５に固定部品１７が挿入されることにより（図９参照）、取付部材１１に固定される。
【００４２】
側板１２は、発光ユニット２０の取付位置を規制する位置規制部１２４を備えている。位置規制部１２４は、第１の突出部１２２に対向して主面部１２１の端部に形成されている。位置規制部１２４は、薄板長方形状を有し、取付部材１１側に突出して形成されている。位置規制部１２４が取付部材１１側に突出する長さは、第１の突出部１２２が取付部材１１側に突出する長さよりも短くなっている。位置規制部１２４は、発光ユニット２０が器具本体１０に取り付けられた際に発光ユニット２０と接触する。これにより、発光ユニット２０は、発光ユニット取付凹部１１３内の発光ユニット２０の器具本体１０対向面が側板１２の位置規制部１２４と接触する位置に位置決めされる。位置規制部１２４は、取付部材１１の側縁部１１２の内壁から発光ユニット取付凹部１１３内に突出して設けられていてもよい。このとき、位置規制部１２４は、側縁部１１２の内壁に固定された金属材料等で形成され、側縁部１１２とは別部材で形成される。また、位置規制部１２４は、側縁部１１２と一体に形成されるように取付部材１１を構成する合板を曲げ加工して形成してもよい。具体的には、側縁部１１２の一部に切込みを形成し、その切込みが発光ユニット取付凹部１１３内に突出するように合板を折曲げることにより、例えば断面コ字状又は断面Ｕ字状の突出部である位置規制部１２４を形成することができる。
【００４３】
また、側板１２は、発光素子２１の発光を制御する機能部を備えていてもよい。側板１２は、発光素子２１の発光を制御する機能部として、例えば受光部、無線受信部、センサ又はスイッチ部の少なくとも１つを備えていてもよい。
図１０は、機能部として、受光部の一例である赤外線受光部１２５を設けた側板１２を示している。赤外線受光部１２５は、例えば不図示のリモートコントローラ装置の赤外線発光部からの赤外線を受信する受光部である。側板１２は、例えば背面側に、赤外線受光部１２５で検出した赤外線信号を増幅する赤外線信号増幅回路や、赤外線受光部１２５で検出した赤外線信号に基づいて発光ユニット２０の発光を制御する制御部を備えている（図示せず）。
【００４４】
また、赤外線受光部等の受光部の他に、無線受信部としては、例えば、リモートコントローラ装置の無線送信部からの通信を受信する無線ＬＡＮ（Ｌｏｃａｌ  Ａｒｅａ  Ｎｅｔｗｏｒｋ）やＢｌｕｅｔｏｏｔｈ（登録商標）の受信部が挙げられる。センサとしては、例えば赤外線、超音波、可視光等による人感センサが挙げられる。スイッチ部としては、例えば、引き紐が取り付けられたプルスイッチが挙げられる。
【００４５】
本実施形態のように、側板１２が樹脂材料で形成されている場合、成形性が向上するため、機能部の追加が容易となる。また、発光ユニット２０には受光部、無線受信部、センサ又はスイッチ部等の機能部が設けられていないため、発光ユニット２０のスペース効率や発光性が低下することがない。そして、器具本体１０側に各機能部が設けられるため、照明装置１に付加された機能が異なっていても、発光ユニット２０を共通とすることができる。
【００４６】
また、発光ユニット２０に機能部を追加する場合と異なり、消耗品である発光ユニット２０の交換時には発光ユニット２０のみを交換し、照明装置１に追加する機能を変更したい場合には、機能部を備える側板１２のみを交換すればよい。このため、例えば照明装置１の点灯、消灯のための機能を追加したり、プルスイッチが設けられた照明装置１をリモートコントローラによる点灯、消灯機能を備えた照明装置１に変更することが容易となる。
【００４７】
端子台１４には、後述する電力供給ケーブルが接続される。具体的には、端子台１４には、天井又は壁等の被取付面から導出されて後述する発光ユニット２０の電源部２８との間を電気的に接続する電力供給ケーブルが接続される。端子台１４は、例えばネジ等により取付部材１１に取り付けられる。
電力供給ケーブル用孔部１６は、天井又は壁等の被取付面から導出された電力供給ケーブル４０を器具本体１０の発光ユニット取付凹部１１３内に引き込むために設けられている。
【００４８】
固定部品１７は、対向する側板１２の取付部材固定用孔部１２３ａと取付部材１１の側板固定用孔部１１５を介して側板１２及び取付部材１１を固定する。固定部品１７としては、リベット、ねじ、並びにボルト及びナット等が用いられる。
【００４９】
［発光ユニット］
次に、発光ユニット２０の構成について図５を参照しつつ図１３から図２７を用いて説明する。  図１３は、図５に示す発光ユニット２０のＡ−Ａ’断面を示す断面図である。図１４は、発光ユニット２０の構成を示す分解斜視図である。
図５、図１３及び図１４に示すように、発光ユニット２０は、発光素子２１と、透光性カバー２２と、基板群２３と、支持部材２４と、基板固定部材２５（２５ａ〜２５ｎ）と、ネジ２６と、バネ受部２７と、電源部２８と、反射部材２９（第１反射部品２９ａ、第２反射部品２９ｂ、第３反射部品２９ｃ）とを備えている。図１４において、基板固定部材２５ａを固定するネジ２６にのみ参照符号を付し、基板固定部材２５ｂから基板固定部材２５ｎを固定するネジについては参照符号の図示を省略している。以下、発光ユニット２０の各部について詳細に説明する。
【００５０】
（透光性カバー）
透光性カバー２２は、発光素子２１を覆い、発光ユニット２０を器具本体１０に取り付けた際に器具本体１０に入り込む形状を有している。透光性カバー２２は、発光素子２１から照射された光を拡散する機能を発揮する。  図１４に示すように、透光性カバー２２は、発光素子２１を覆う主カバー部２２１と、第１エンドカバー２２２及び第２エンドカバー２２３とを備える。主カバー部２２１は、長尺形状を有している。第１エンドカバー２２２は、主カバー部２２１の長手方向の一端を覆うように主カバー部２１１に取り付けられる。第２エンドカバー２２３も同様に、主カバー部２２１の長手方向の他端を覆うように主カバー部２２１に取り付けられる。
【００５１】
図９に示すように、発光ユニット２０は、透光性カバー２２の一部が器具本体１０の開口に入り込むようにして取り付けられる。このとき、発光ユニット２０は、透光性カバー２２の一部が器具本体１０の発光ユニット取付凹部１１３の内壁面に接触した状態で発光ユニット取付凹部１１３に取り付けられる。これにより、発光ユニット２０がたわんだ場合であっても照明装置１の外観不良が生じにくくなる。これは、発光ユニット２０がたわんだ場合に発光ユニット取付凹部１１３に入り込んでいた透光性カバー２２が露出するのみであり、器具本体１０と発光ユニット２０との間に隙間が生じなくなるためである。
また、取付部材１１の鈍角の角度θは、器具本体１０に発光ユニット２０を取り付ける前よりも取り付けた後の方が大きくなる。例えば、器具本体１０に発光ユニット２０を取り付ける前の角度θは９９．５°であり、器具本体１０に発光ユニット２０を取り付けた後の角度θは１０３°である。このため、取付部材１１の第１及び第２側縁部１１２ａ，１１２ｂには、元の角度θに戻ろうとする弾性力が生じるので、第１及び第２側縁部１１２ａ，１１２ｂは、主カバー部２２１を押さえ付ける。これにより、器具本体１０と発光ユニット２０との間に隙間がさらに生じにくくなり、照明装置１の外観不良の発生を防止できる。
【００５２】
図１５は、主カバー部２２１と支持部材２４及び第１エンドカバー２２２と支持部材２４のそれぞれの係合部を詳細に説明する分解斜視図である。図１５（Ａ）及び図１５（Ｂ）は、主カバー部２２１と、第１エンドカバー２２２と、支持部材２４との係合状態を説明するための図である。図１６は、第１エンドカバー２２２及び第２エンドカバー２２３の構成を示す正投影図である。
図１５（Ａ）及び図１５（Ｂ）に示すように、主カバー部２２１は、主カバー部２２１を支持部材２４と固定するための第１固定用孔部である固定用孔部２２１ａ及び２２１ｂ（２２１ｂは図示せず）を有している。主カバー部の２２１の底面は、平坦形状に形成される。固定用孔部２２１ａ及び２２１ｂは、主カバー部２２１の支持部材２４と対向する領域に設けられる。固定用孔部２２１ａ及び２２１ｂは、例えば長円形状に形成されている。主カバー部２２１は、固定用孔部２２１ａ及び２２１ｂが設けられた一端部と対向する第１エンドカバー２２２が取り付けられる側の他端部に、固定用孔部２２１ａ及び２２１ｂと同一形状の固定用孔部を有している。また、主カバー部２２１の内壁面には、突出部２２１ｃ及び２２１ｄが形成されている。突出部２２１ｃ及び２２１ｄのそれぞれは、支持部材２４を保持している。
【００５３】
第１エンドカバー２２２は、支持部材２４に係合される第１係合部を有している。第１エンドカバー２２２の第１係合部は、支持部材２４の端部側に形成された第１被係合部（詳細は後述する）を係止可能に形成される。
支持部材２４に係合される第１係合部は、例えば以下のような構成とすることができる。
図１５（Ａ）及び図１５（Ｂ）、並びに図１６に示すように、第１エンドカバー２２２は、第１係合部として孔部２２２ａ及び２２２ｂを有している。孔部２２２ａ及び２２２ｂには、支持部材２４に設けられた第１被係合部である突出部２４ｇ及び２４ｈがそれぞれ係止される。
【００５４】
また、第１エンドカバー２２２は、第１係合部として上述した孔部２２２ａ及び２２２ｂの代わりに突出部（図示せず）を有していてもよい。この場合、支持部材２４には、第１被係合部として孔部を設け（図示せず）、第１エンドカバー２２２に設けられた突出部は、支持部材２４の孔部に係止可能に形成される。
【００５５】
さらに、第１エンドカバー２２２は、第１係合部（孔部２２２ａ及び２２２ｂ）とは別に、第２係合部を有している。第２係合部は、支持部材２４に形成された第２被係合部（詳細は後述する）を係止可能に形成される。第１エンドカバー２２２は、第２係合部として、例えば突出部２２２ｃ及び２２２ｄを有している。突出部２２２ｃ及び２２２ｄは、支持部材２４に設けられた第２被係合部である係合用孔部２４ｉ及び２４ｊにそれぞれ係止される。
【００５６】
また、第２エンドカバー２２３は、第１エンドカバー２２２と同様に、第１係合部、第２係合部を有している。
【００５７】
（発光素子基板）
図１４に戻って、発光素子基板２３１及び２３２は、一方向に長く延びた長尺形状の板状部材であり、一方の面に複数の発光素子２１が実装されている（図３参照）。発光素子基板２３１及び２３２は、互いの短辺同士が対向する状態で発光素子基板２３１及び２３２の長手方向に列状に並べられて基板群２３を構成する。本実施形態では、基板群は、２枚の発光素子基板で構成されているが、基板群を構成する発光素子基板は３枚以上であってもよい。
【００５８】
図１７は、基板群２３の構成を示す平面図である。
図１７に示すように、発光素子基板２３１及び２３２には、発光素子２１に電力を供給するための配線２８ｄがそれぞれ接続される。このとき、発光素子基板２３１及び２３２は、後述する支持部材２４の基板支持面２４ａに設けられた貫通部２４ｄを通る配線２８ｄにより電源部２８と接続される。電源部２８の電源回路から供給された電力は、配線２８ｄを介して発光素子２１に供給される。発光素子基板２３１及び２３２は、配線２３ｃによって電気的に接続されている。
【００５９】
基板群２３上には、電源部２８から導出される配線２８ｄが接続される電源接続用端子群（コネクタ２３１ａ及び２３２ａ）と、隣り合う発光素子基板２３１及び２３２間を接続する配線２３ｃが接続される基板接続用端子群（コネクタ２３１ｂ及び２３２ｂ）とが設けられる。電源接続用端子群及び基板接続用端子群は、発光素子基板２３１及び２３２の対向する短辺側の端部にそれぞれ配置される。すなわち、発光素子基板２３１の一方の短辺側の端部には、第１電源接続用端子であるコネクタ２３１ａと、第１基板接続用端子であるコネクタ２３１ｂとが設けられている。また、発光素子基板２３２の一方の短辺側の端部には、第２電源接続用端子であるコネクタ２３２ａと、第２基板接続用端子であるコネクタ２３２ｂとが設けられている。そして、発光素子基板２３１のコネクタ２３１ａ及びコネクタ２３１ｂが設けられた側の短辺と、発光素子基板２３２のコネクタ２３２ａ及びコネクタ２３２ｂが設けられた側の短辺とが対向配置されることにより、基板群２３が形成される。なお、発光素子基板２３１及び２３２は、互いに同一の構成を有していてもよい。
【００６０】
ここで、コネクタ２３１ａ及びコネクタ２３２ａの一方はプラス側端子であり、他方はマイナス側端子である。コネクタ２３１ｂ及びコネクタ２３２ｂは、配線２３ｃによって接続されている。このため、基板群２３において、発光素子基板２３１上に設けられた複数の発光素子２１及び発光素子基板２３２上に設けられた複数の発光素子２１の全てがコネクタ２３１ａと、コネクタ２３２ａとの間で直列に接続される。このような構成とすることにより、基板群２３の組み立て工程が容易になる。また、このような構成とすることにより、発光素子基板２３１及び２３２同士を接続する配線２３ｃ及び電源部２８からの配線２８ｄの引きまわし距離を短くすることができる。これにより、各配線に重畳するノイズの発生を抑制することができる。
【００６１】
また、電源接続用端子群（コネクタ２３１ａ及び２３２ａ）は、基板群２３の一方の長辺に沿って配置され、基板接続用端子群（コネクタ２３１ｂ及び２３２ｂ）は、基板群２３の他方の長辺に沿って配置される。このとき、コネクタ２３１ａ及び２３２ａは、基板群２３上において少なくとも１個の発光素子２１を介して配置されることが好ましい。また、コネクタ２３１ｂ及び２３２ｂは、少なくとも１個の発光素子２１を介して配置されることが好ましい。これは、コネクタ２３１ａ及び２３２ａ、並びにコネクタ２３１ｂ及び２３２ｂのそれぞれの間の沿面距離を確保するためである。
【００６２】
図１７に示すように、コネクタ２３１ａ及び２３１ｂは、発光素子基板２３１の短辺に最も近い位置に設けられた発光素子２１と、短辺に２番目に近い位置に設けられた発光素子２１との間の領域Ｘに設けられることが好ましい。また、コネクタ２３１ａ及び２３１ｂは、領域Ｘのうち、短辺に２番目に近い位置に設けられた発光素子２１よりも、短辺に最も近い位置に設けられた発光素子２１に近い位置に設けられることが好ましい。
同様に、コネクタ２３２ａ及び２３２ｂは、発光素子基板２３２の短辺に最も近い位置に設けられた発光素子２１と短辺に２番目に近い位置に設けられた発光素子２１との間の領域Ｙに設けられることが好ましい。また、コネクタ２３２ａ及び２３２ｂは、領域Ｙのうち、短辺に２番目に近い位置に設けられた発光素子２１よりも、短辺に最も近い位置に設けられた発光素子２１に近い位置に設けられることが好ましい。
【００６３】
また、図１７に示すコネクタ位置の他、図１８（Ａ）、図１８（Ｂ）及び図１８（Ｃ）に示すように電源接続用端子群（コネクタ２３１ａ及び２３２ａ）と基板接続用端子群（コネクタ２３１ｂ及び２３２ｂ）とを配置してもよい。
【００６４】
これにより、基板群２３の同一の長辺上に沿って配置されるコネクタ２３１ａ及び２３２ａ間、並びにコネクタ２３１ｂ及び２３２ｂ間のそれぞれの沿面距離を確保しつつ、発光素子基板２３１及び２３２上を覆う反射部材（詳しくは後述する）の面積をより大きくすることができる。
【００６５】
（支持部材）
支持部材２４は、発光素子２１が実装される基板群２３を支持する。支持部材２４は、発光素子２１の熱を放熱するヒートシンクの機能も有している。
図１９は、支持部材２４の構成例を説明する斜視図であって、支持部材２４の端部近傍を拡大して示している。
図１４及び図１９に示すように、支持部材２４は、基板群２３と対向して基板群２３を支持する基板支持面２４ａと、基板支持面２４ａの裏面側に設けられた電源部２８を支持する電源部支持面２４ｂと、基板支持面２４ａの両端に形成された光照射方向に突出する凸部２４ｃとを有している。基板支持面２４ａは、基板群２３の幅よりも広く形成されている。また、支持部材２４は、基板群２３を支持する基板支持面２４ａが凸部２４ｃに対して器具本体１０方向に凹むように形成されている。
【００６６】
支持部材２４は、基板支持面２４ａにおいて、基板群２３の幅方向の両端部に設けられる複数の基板固定部材２５（詳細は後述する）により基板群２３を固定する。なお、支持部材２４の基板支持面２４ａの裏面（電源部支持面２４ｂ）には、支持部材２４に基板固定部材２５を固定するためのネジ２６等により、複数の突起が生じる。
【００６７】
図１９に示すように、凸部２４ｃの頂部は、支持部材２４の外側ほど大きく突出するように傾斜して形成されることが好ましい。また、凸部２４ｃの頂部は、発光素子２１の１／２ビーム角領域内に入り込まない形状であることが好ましい。
【００６８】
図２０は、図１７のＢ−Ｂ’断面を示す斜視断面図である。図１７及び図２０に示すように、支持部材２４は、電源部２８から導出される配線２８ｄを通すための貫通部２４ｄを備える。貫通部２４ｄは、基板支持面２４ａ上に設けられる。ここで、図５に戻って、支持部材２４は、支持部材２４の長尺方向の両端に基板群２３を固定するための第１の基板固定部及び第２の基板固定部を有している。第１の基板固定部及び第２の基板固定部は、例えば支持部材２４の長尺方向の両端において電源部支持面２４ｂに突出した基板固定部材２５を固定するためのネジ２６等を取り付けるネジ穴等の位置を示す。
貫通部２４ｄは、第１の基板固定部と第２の基板固定部との間に設けられることが好ましい。これにより、貫通部２４ｄを通して電源部支持面２４ｂから基板支持面２４ａに引き回される配線２８ｄが、電源部支持面２４ｂで露出したネジ２６の先端に引っかかることを防止することができる。
【００６９】
また、上述したように、、支持部材２４の基板支持面の裏面側（電源部支持面２４ｂ）には、発光ユニット２０を器具本体１０に取り付けるための第１の取付部（第１バネ受部２７ａ）及び第２の取付部（第２バネ受部２７ｂ）が設けられている。  貫通部２４ｄは、第１バネ受部２７ａと第２バネ受部２７ｂとの間に設けられることがより好ましい。これにより、貫通部２４ｄを通して電源部支持面２４ｂから基板支持面２４ａに引き回される配線２８ｄが、電源部支持面２４ｂで露出したネジ２６の先端や、電源部支持面２４ｂに取り付けられた第１バネ受部２７ａ及び第２バネ受部２７ｂに引っかかることを防止することができる。
【００７０】
また、図２０に戻って、貫通部２４ｄは、支持部材２４の電源部２８と対向する位置に設けられることがさらに好ましい。電源部２８と対向する位置に貫通部２４ｄを設けることにより、電源部２８から導出した配線２８ｄは、支持部材２４の電源部支持面２４ｂに露出することなく、貫通部２４ｄを通じて基板支持面２４ａ上の基板群２３と接続することができる。このため、配線２８ｄを支持部材２４上の広い領域内で引き回す必要がなく、配線２８ｄを短くすることができ、発光ユニット２０の組み立て性が向上する。また、配線が２８ｄ外部に露出しないため、安全性が向上し、配線の二重被覆が不要となる。
【００７１】
図１９に戻って、支持部材２４は、支持部材２４の端部側に形成された第２固定用孔部である固定用孔部２４ｅ及び２４ｆを有する。固定用孔部２４ｅ及び２４ｆは、主カバー部２２１の固定用孔部２２１ａ及び２２１ｂと対向する位置にそれぞれ設けられる。
支持部材２４と主カバー部２２１（図１５参照）とは、リベット等の主カバー部固定部品によって固定される。支持部材２４の固定用孔部２４ｅ及び主カバー部２２１の固定用孔部２２１ａ、並びに支持部材２４の固定用孔部２４ｆ及び主カバー部２２１の固定用孔部２２１ｂは、それぞれ図示しないリベット等によって固定される。この場合には、例えば、重なって位置する固定用孔部２４ｅ及び固定用孔部２２１ａ、並びに固定用孔部２４ｆ及び固定用孔部２２１ｂに主カバー部２２１側からリベットを通し、支持部材２４側でリベットを潰す。これにより、主カバー部２２１と支持部材２４とが固定される。
固定用孔部２４ｅ及び２４ｆは、例えば、円形状に形成される。支持部材２４の固定用孔部２４ｅ及び２４ｆを円形状に形成し、主カバー部２２１の固定用孔部２２１ａ及び２２１ｂを長円形状に形成することにより、高温環境下等で主カバー部２２１が変形した場合であっても、変形による固定用孔部２４ｅ及び２４ｆの位置ずれを吸収することができる。
【００７２】
支持部材２４は、支持部材２４の端部側に形成された第１被係合部を有する。本実施形態では、図１９に示すように、支持部材２４は、第１被係合部として、例えば支持部材２４の一部が突出した突出部２４ｇ及び２４ｈを有する。突出部２４ｇ及び２４ｈは、支持部材２４の基板支持面２４ａの一部を切り起こして、第１エンドカバー２２２の孔部２２２ａ及び２２２ｂ内で立ち上がるように形成され、孔部２２２ａ及び２２２ｂ（図１６参照）と係止される。支持部材２４は、第１被係合部として、突出部２４ｇ及び２４ｈの代わりに図示しない孔部を有していてもよい。この場合、第１エンドカバー２２２には第１係合部として突出部が設けられ、突出部が支持部材２４の孔部に係止される。
【００７３】
支持部材２４は、支持部材２４の端部側に形成された第２被係合部を有する。本実施形態では、図１９に示すように、支持部材２４は、第２被係合部として、例えば係合用孔部２４ｉ及び２４ｊ（係合用孔部２４ｊは図示せず）を有する。支持部材２４の係合用孔部２４ｉ及び２４ｊには、第１エンドカバー２２２が取り付けられた際に第１エンドカバー２２２の突出部２２２ｃ及び２２２ｄ（図１６参照）が係止される。係合用孔部２４ｉ及び２４ｊは、例えば、長方形状に形成される。支持部材２４の係合用孔部２４ｉ及び２４ｊを長方形状に形成することにより、高温環境下等で第１エンドカバー２２２が変形した場合であっても、第１エンドカバー２２２の変形を吸収することができる。
【００７４】
また、支持部材２４は、第２エンドカバー２２３を取り付ける支持部材２４の他端部に、固定用孔部２４ｅ及び２４ｆ、突出部２４ｇ及び２４ｈ並びに係合用孔部２４ｉ及び２４ｊと同様の構成を有する固定用孔部、突出部及び孔部が設けられている。
【００７５】
（基板固定部材）
図１４に戻って、基板固定部材２５（２５ａ〜２５ｎ）は、支持部材２４の基板支持面２４ａにおいて、基板群２３の両端部に設けられ、基板群２３を支持部材２４に固定する。本実施形態における発光ユニット２０では、１４個の基板固定部材２５ａから２５ｎが基板群２３の両端部に備えられている。以下、基板固定部材２５ａから基板固定部材２５ｎを基板固定部材２５と総称する場合がある。
【００７６】
図２１は、基板固定部材２５の配置を説明する斜視図である。
図２１に示すように、基板固定部材２５は、基板群２３の側部を支持し、かつ基板群２３の発光素子実装面上に突出する形状を有している。また、基板固定部材２５は、ネジ２６によって支持部材２４に固定される。このため、基板群２３は、支持部材２４に対して浮きがないように固定される。
【００７７】
図２２は、図１４における基板固定部材２５ａ〜２５ｃ，２５ｅ〜２５ｇ，２５ｈ〜２５ｊ，２５ｌ〜２５ｎの形状を示す正投影図である。図２２（Ａ）は基板固定部材の正面図であり、図２２（Ｂ）は基板固定部材の左側面図であり、図２２（Ｃ）は基板固定部材の右側面図であり、図２２（Ｄ）は基板固定部材の平面図であり、図２２（Ｅ）は基板固定部材の底面図であり、図２２（Ｆ）は基板固定部材の背面図である。
図２２に示すように、基板固定部材（以下、基板固定部材２５１と称する）は、支持部材２４の基板支持面２４ａの両端に形成された光照射方向に突出する凸部２４ｃと基板群２３との間に配置される主部２５１ａと、基板群２３の実装面の一部を覆い基板群２３を支持部材２４方向に押さえる基板押さえ部２５１ｂと、反射部材を主部２５１ａの表面上に保持する反射部品保持部２５１ｃと、を有する。また、基板固定部材２５１は、基板固定部材２５１がネジ２６で固定される際にネジ止めされるネジ止め部２５１ｄを有する。
【００７８】
図２１及び図２２に示すように、基板固定部材２５１は、発光素子２１から照射された光を反射する反射部材を固定する。具体的には、基板固定部材２５１の基板押さえ部２５１ｂは、基板群２３とともに、発光素子２１を露出させかつ基板群２３を被覆する第１反射部品２９ａ（図１４参照）を支持部材２４方向に押さえる。
また、基板固定部材２５１の反射部品保持部２５１ｃは、第１反射部品２９ａの幅方向の両端から、発光素子２１からの光の照射方向に向かって傾斜して配置される第２反射部品２９ｂ及び第３反射部品２９ｃ（図１４参照）を主部２５１ａの表面上に保持する。このとき、反射部品保持部２５１ｃは、支持部材２４の凸部２４ｃの頂部との間に第２反射部品２９ｂ又は第３反射部品２９ｃを保持可能な間隙を設けた状態で、頂部の一部を覆うように形成される。すなわち、反射部品保持部２５１ｃは、基板固定部材２５１が支持部材２４に取り付けられた際に、支持部材２４の凸部２４ｃの頂部と密着しない形状に形成される。反射部品保持部２５１ｃと支持部材２４の凸部２４ｃの頂部との間に形成された間隙に第２反射部品２９ｂ又は第３反射部品２９ｃが保持可能とされる。
【００７９】
図２３は、図１４における基板固定部材２５ｄ，２５ｋの形状を示す正投影図である。図２３（Ａ）は基板固定部材の正面図であり、図２３（Ｂ）は基板固定部材の左側面図であり、図２３（Ｃ）は基板固定部材の右側面図であり、図２３（Ｄ）は基板固定部材の平面図であり、図２３（Ｅ）は基板固定部材の底面図であり、図２３（Ｆ）は基板固定部材の背面図である。
図２３に示すように、基板固定部材（以下、基板固定部材２５２と称する）は、基板固定部材２５１の主部２５１ａに対応する主部２５２ａと、基板押さえ部２５１ｂに対応する基板押さえ部２５２ｂと、反射部品保持部２５１ｃに対応する反射部品保持部２５２ｃと、ネジ止め部２５１ｄに対応するネジ止め部２５２ｄと、を有している。また、基板固定部材２５２は、さらに基板群２３に接続される配線２３ｃ及び２８ｄを固定する配線固定機構２５２ｅを有している。
基板固定部材２５２は、発光素子基板２３１及び２３２に接続される配線２３ｃ又は２８ｄ（図１７参照）を覆う位置に配置される。本実施形態の発光ユニット２０では、基板固定部材２５２は、基板群２３における発光素子基板２３１及び２３２のつなぎ目部分に配置される。配線固定機構２５２ｅは、基板固定部材２５２が支持部材２４に固定された場合でも配線２３ｃ又は２８ｄが導出可能な空間を確保可能な形状に形成されている。そして、配線２３ｃ又は２８ｄは、配線固定機構２５２ｅを通して発光素子基板２３１及び２３２と接続される。このため、基板固定部材２５２を用いることで、基板固定部材２５による配線２３ｃ及び２８ｄへの圧迫を防止することができる。
【００８０】
また、基板固定部材２５２の主部２５２ａ、基板押さえ部２５２ｂ、反射部品保持部２５２ｃ、及びネジ止め部２５２ｄは、基板固定部材２５１の主部２５１ａ、基板押さえ部２５１ｂ、反射部品保持部２５１ｃ及びネジ止め部２５１ｄと同様の機能を発揮する。
【００８１】
このような基板固定部材２５（基板固定部材２５１及び２５２）は、例えば樹脂材料を射出成型することにより形成される。基板固定部材２５は、高反射性材料で形成されることが好ましい。基板固定部材２５の一部が基板固定部材２５が第１反射部品２９ａ、第２反射部品２９ｂ又は第３反射部品２９ｃから露出しても、発光素子２１の光を効率よく反射することができるためである。また、発光素子基板２３１及び２３２に接続される配線２３ｃ及び２８ｄを覆うように配置される基板固定部材２５（図１４及び図２１に示す基板固定部材２５ｄ及び２５ｋ）は、透明材料で形成されることが好ましい。基板固定部材２５を通して配線２３ｃの配線状態を確認することができるため、基板固定部材２５による配線２３ｃ及び２８ｄの圧迫をより容易に防止することができる。
【００８２】
（反射部材）
反射部材２９は、発光素子２１から照射された光を反射する機能を発揮する。発光素子２１から照射された光は、反射部材２９によって予め設定した方向（例えば、床面に向かう方向）へ反射される。反射部材２９は、基板群２３、支持部材２４又は基板固定部材２５等の任意の個所で接着剤、ピン、ネジ等によって固定される。
【００８３】
図１３及び図１４に戻って、本実施形態に係る発光ユニット２０は、反射部材２９として、第１反射部品２９ａと、第２反射部品２９ｂと、第３反射部品２９ｃとを有している。第１反射部品２９ａは、発光素子２１を露出させかつ基板群２３（発光素子基板２３１及び２３２で）を被覆している。第２反射部品２９ｂは、第１反射部品２９ａの幅方向の一端部から、発光素子２１からの光の照射方向に向かって傾斜して配置される。第３反射部品２９ｃは、第１反射部品２９ａの幅方向の他端部から、発光素子２１からの光の照射方向に向かって傾斜して配置される。第１反射部品２９ａ、第２反射部品２９ｂ及び第３反射部品２９ｃは、互いに異なる部品である。これにより、第１反射部品２９ａ、第２反射部品２９ｂ及び第３反射部品２９ｃのそれぞれの取付けが容易になる。
【００８４】
また、基板群２３の発光素子２１の実装面側には、図示しない抵抗素子が設けられる場合がある。この場合、第１反射部品２９ａには、発光素子２１を露出させる開口とともに、抵抗素子を露出させる開口が設けられる。第１反射部品２９ａに上述した開口を設けることにより、発光素子２１から照射された光が第１反射部品２９ａ、第２反射部品２９ｂ及び第３反射部品２９ｃの全面で反射され、効率的に照明装置１の発光に利用される。
【００８５】
図２４は、第１反射部品２９ａ、第２反射部品２９ｂ及び第３反射部品２９ｃを基板固定部材２５（２５ａ〜２５ｎ）に取り付けた状態を示す斜視図である。図２５は、図２４に示すＣ−Ｃ’断面を示す断面図である。
図２４及び図２５に示すように、第２反射部品２９ｂは、第２反射部品２９ｂの幅方向の基板群２３に隣接する側の一端が基板群２３の幅方向の一端よりも外側に位置するように配置される。また、第３反射部品２９ｃは、第３反射部品２９ｃの幅方向の基板群２３に隣接する側の一端が基板群２３の幅方向の他端よりも外側に位置するように配置される。すなわち、第２反射部品２９ｂ及び第３反射部品２９ｃは、基板群２３上に設けられた第１反射部品２９ａ上にかぶらないように配置される。
【００８６】
また、第２反射部品２９ｂは、第２反射部品２９ｂの幅方向の基板群２３に隣接する側の一端が基板群２３の幅方向の一端と隙間なく対向するように配置されることが好ましい。また、第３反射部品２９ｃは、第３反射部品２９ｃの幅方向の基板群２３に隣接する側の一端が基板群２３の幅方向の他端と隙間なく対向するように配置されることが好ましい。ここで、本実施形態において「隙間なく対向」は、第１反射部品２９ａ及び第２反射部品２９ｂ、並びに第１反射部品２９ａ及び第３反射部品２９ｃが完全に隙間なく配置される場合に限られない。「隙間なく対向」とは、基板群２３（発光素子基板２３１及び２３２）の実装面側から見た場合に、第２反射部品２９ｂの幅方向の基板群２３に隣接する側の一端の位置と、基板群２３の幅方向の一端の位置とが一致することをいう。
【００８７】
第１反射部品２９ａは、基板固定部材２５によって支持部材２４の基板支持面２４ａ上で固定される。また、第２反射部品２９ｂ及び第３反射部品２９ｃは、支持部材２４の凸部２４ｃの頂部と基板固定部材２５の一部との間に形成された間隙に嵌め込まれて固定される。具体的には、第２反射部品２９ｂ及び第３反射部品２９ｃは、支持部材２４の凸部２４ｃの頂部と基板固定部材２５１の反射部品保持部２５１ｃとの間に形成された間隙に嵌め込まれている。これにより、第２反射部品２９ｂ及び第３反射部品２９ｃは、支持部材２４の凸部２４ｃの頂部の形状に沿って傾斜する。なお、第２反射部品２９ｂと第３反射部品２９ｃは、異なる基板固定部材２５で固定されている。
【００８８】
これにより、組み立て後の発光ユニット２０において、第２反射部品２９ｂ及び第３反射部品２９ｃが、透光性カバー２２の内壁面に形成された突出部２２１ｃ及び２２１ｄにそれぞれ向かって傾斜して配置される。すなわち、第２反射部品２９ｂは、第２反射部品２９ｂの幅方向の基板群２３に隣接しない側の一端（すなわち、基板群２３に隣接する側の一端に対向する他端）が、透光性カバー２２の内壁面に形成された突出部２２１ｃに向かって傾斜して配置される。また、第３反射部品２９ｃは、第３反射部品２９ｃの幅方向の基板群２３に隣接しない側の一端（すなわち、基板群２３に隣接する側の一端に対向する他端）が、透光性カバー２２の内壁面に形成された突出部２２１ｄに向かって傾斜して配置される。これにより、第２反射部品２９ｂ又は第３反射部品２９ｃが重量等によって床方向にずれた場合であっても、透光性カバー２２の突出部２２１ｃ又は２２１ｄがストッパーとなり、第２反射部品２９ｂ又は第３反射部品２９ｃの落下を防止することができる。
【００８９】
また、図２６（Ａ）に示すように、基板群２３上に配置される第１反射部品２９ａは、発光素子基板２３１上に配置される第１反射部品２９１ａと、発光素子基板２３２上に配置される第１反射部品２９２ａとに分けられる。図２６（Ａ）では、斜線で図示された領域が第１反射部品２９１ａ及び第１反射部品２９２ａを示している。このとき、第１反射部品２９１ａ及び２９２ａは、電源接続用端子群（コネクタ２３１ａ及び２３２ａ）と基板接続用端子群（コネクタ２３１ｂ及び２３２ｂ）とで囲まれる領域を除いた領域を被覆する。すなわち、第１反射部品２９１ａは、基板群２３上の、基板群２３の一端部からコネクタ２３１ａ及び２３１ｂの設置位置までを被覆する。また、第１反射部品２９２ａは、基板群２３上の、基板群２３の他端部からコネクタ２３２ａ及び２３２ｂの設置位置までを被覆する。なお、図２６（Ａ）では、配線２３ｃ及び配線２８ｄの図示を省略している。
【００９０】
上述した「電源接続用端子群（コネクタ２３１ａ及び２３２ａ）と基板接続用端子群（コネクタ２３１ａ及び２３２ａ）とで囲まれる領域」には、発光素子基板２３１及び２３２上の対向する短辺側の端部に配置された２個以上の発光素子２１が含まれる。図２６では、第１反射部品２９１ａ及び２９２ａで覆われない領域に、４つの発光素子２１が含まれている。
【００９１】
さらに、図２６（Ｂ）に示すように、発光ユニット２０は、２枚の発光素子基板２３１及び２３２の短辺を跨いで覆うように配置された基板対向部用反射部品２９３ａを有していてもよい。図２６（Ｂ）では、斜線で図示された領域が第１反射部品２９１ａ、第１反射部品２９２ａ及び基板対向部用反射部品２９３ａを示している。これにより、２枚の発光素子基板２３１及び２３２のつなぎ目部分においても発光素子２１から照射される光を十分に反射することができるため、基板群２３の全面において明るさを均一にすることができる。
【００９２】
（電源部）
電源部２８は、ＬＥＤ等の発光素子２１の点灯回路（即ち、電源回路）を内部に収納している。電源部２８は、器具本体１０（図１参照）が取り付けられる天井等の被取付面から発光ユニット取付凹部１１３内に導出される電力供給ケーブルと接続される。
図１４に戻って、電源部２８は、電源回路を備える電源基板２８ａと、絶縁部材２８ｂと、電源基板２８ａ及び絶縁部材２８ｂを内部に収容する電源ボックス２８ｃと、発光素子２１に対して電力を供給するための配線２８ｄ（配線２８ｄは図１４に図示せず）とを有している。電源部２８は、支持部材２４に近接して配置される。
【００９３】
電源基板２８ａに備えられた電源回路は、例えば、電力供給ケーブルから供給される交流電力を直流に変換し、その出力（即ち、直流電力）を発光素子２１に供給する。電源基板２８ａは、絶縁部材２８ｂの支持部材２４側の面に固定される。また、図１９に示すように、電源基板２８ａは、電源ボックス２８ｃの内部空間において支持部材２４寄りに配置される。
【００９４】
絶縁部材２８ｂは、ポリプロピレン、ポリエチレン等の高融点で絶縁性を有する樹脂材料で形成されている。絶縁部材２８ｂは、支持部材２４の電源部支持面２４ｂ上に配置される。これにより、電源基板２８ａは、絶縁部材２８ｂ上に配置されて、支持部材２４と絶縁される。絶縁部材２８ｂは、例えばシート状部材を複数回折り曲げた箱型形状であり、電源基板２８ａの周囲を包んで配置される。
【００９５】
電源ボックス２８ｃは、プラスチック、アルミニウム又はステンレス等の材料で形成されている。電源ボックス２８ｃは、電源基板２８ａを覆う筐体である。
配線２８ｄは、支持部材２４の基板支持面２４ａに設けられた貫通部２４ｄを通って基板群２３に接続される。
【００９６】
電源部２８は、例えば、電源ボックス２８ｃに設けられた爪部（図示せず）によって支持部材２４の電源部支持面２４ｂに固定されている。また、電源部２８は、ネジ等の締結部材によって支持部材２４の電源部支持面２４ｂに固定されていてもよい。電源部２８は、被取付面の法線方向に見て、図示しない電力供給ケーブルと重なっている。すなわち、電力供給ケーブルは、電源部２８の上面と器具本体１０との間に確保された電力供給ケーブル収容空間に配線される。このため、電力供給ケーブルによって発光ユニット２０の取付けが阻害されることがなくなる。
【００９７】
発光ユニット２０は、支持部材２４の貫通部２４ｄの内側に位置して配線２８ｄを保護する配線保護用絶縁部材を有していてもよい。ここで、貫通部２４ｄの「内側」とは、貫通部２４ｄの中心軸に向かう方向、すなわち貫通部２４ｄの内壁で囲まれる領域をいう。
発光ユニット２０では、支持部材２４の貫通部２４ｄを介して電源部２８から基板支持面２４ａ側に配線２８ｄが導出される。このとき、配線２８ｄが、支持部材２４の貫通部２４ｄの内壁に当たって損傷する可能性がある。例えば、配線２８ｄが被覆材で覆われている場合には、被覆材が剥がれるおそれがある。このため、貫通部２４ｄの内壁と配線２８ｄとが接触しにくくなるような配線保護用絶縁部材を設けることが好ましい。
【００９８】
配線保護用絶縁部材としては、以下のような例が挙げられる。
（１）第１の例
図２７（Ａ）は、図１７のＢ−Ｂ’断面を示す斜視断面図である。
貫通部２４ｄが支持部材２４の電源部２８に対向する位置に設けられている場合には、図２７（Ａ）に示すように、絶縁部材２８ｂが配線保護用絶縁部材を兼ねることができる。すなわち、電源基板２８ａと接続された配線２８ｄは、支持部材２４の貫通部２４ｄを通って基板支持面２４ａに設けられた基板群２３と接続される。このとき、電源基板２８ａと支持部材２４との間には絶縁部材２８ｂが備えられているため、絶縁部材２８ｂに、貫通部２４ｄよりも小さい貫通部２８１ｂを設けて、支持部材２４の貫通部２４ｄと絶縁部材２８ｂの貫通部２８１ｂとが重なるように絶縁部材２８ｂを配置する。このため、絶縁部材２８ｂによって、支持部材２４の貫通部２４ｄと配線２８ｄとを接触しにくくすることができる。
【００９９】
（２）第２の例
図２７（Ｂ）は、電源基板２８ａと、絶縁部材２８ｂと、支持部材２４に設けられた貫通部２４ｄを通じて、基板支持面２４ａ側に導出される配線２８ｄの構成を示す断面図である。
図２７（Ｂ）に示すように、絶縁部材２８ｂとは異なる部品である配線保護用絶縁部材２８ｅが、支持部材２４の基板支持面２４ａ及び電源部支持面２４ｂの少なくとも一方の面（図２７（Ｂ）では、電源部支持面２４ｂ）に密着して設けられていてもよい。配線保護用絶縁部材２８ｅは、例えば、絶縁性を有する樹脂材料で形成される。配線保護用絶縁部材２８ｅは、貫通部２４ｄよりも小さい貫通部２８１ｅを備えており、支持部材２４の貫通部２４ｄと、配線保護用絶縁部材２８ｅの貫通部２８１ｅとが重なるように配線保護用絶縁部材２８ｅを配置する。このため、配線保護用絶縁部材２８ｅによって、支持部材２４の貫通部２４ｄと配線２８ｄとが接触しにくくなり、配線２８ｄの損傷を抑制することができる。
第２の例の場合、第１の例のように、貫通部２４ｄが支持部材２４の電源部２８に対向する位置に設けられている必要はない。貫通部２４ｄが支持部材２４のどの位置に設けられていても、配線保護用絶縁部材２８ｅが貫通部２４ｄに密着して設けられていればよい。
【０１００】
（３）第３の例
図２７（ｃ）は、電源基板２８ａと、絶縁部材２８ｂと、支持部材２４に設けられた貫通部２４ｄを通じて基板支持面２４ａ側に導出される配線２８ｄとの構成を示す断面図である。
図２７（ｃ）に示すように、絶縁部材２８ｂとは異なる部品である配線保護用絶縁部材２８ｅが、少なくとも貫通部２４ｄの内壁を覆って設けられていてもよい。配線保護用絶縁部材２８ｅは、例えば、絶縁性を有する樹脂材料で形成される。配線保護用絶縁部材２８ｅは少なくとも貫通部２４ｄの内壁を覆って設けられている。このため、支持部材２４の貫通部２４ｄの角部と配線２８ｄとが接触しにくくなり、配線２８ｄの損傷を抑制することができる。
また、配線保護用絶縁部材２８ｅが支持部材２４の基板支持面２４ａ及び電源部支持面２４ｂまで覆っていても構わない。この場合、配線保護用絶縁部材２８ｅは、支持部材２４の基板支持面２４ａ及び電源部支持面２４ｂと貫通部２４ｄの内壁とで形成される角部を覆っており、より配線２８ｄの損傷を抑制することができる。
第３の例の場合も、貫通部２４ｄが支持部材２４の電源部２８に対向する位置に設けられている必要はなく、貫通部２４ｄが支持部材２４のどの位置に設けられていても、配線保護用絶縁部材２８ｅが貫通部２４ｄの内壁を覆うように設けられていればよい。
【０１０１】
［本発明の効果］
以上説明した本発明の一実施形態に係る照明装置によれば、以下の効果を得ることができる。
（１）取付部材１１は、底板部１１１に形成された底板突出部１５０ａ〜１５０ｄを有している。このため、照明装置１は、吊りボルト及びナットにより取付部材１１を締め付けて被取付面に取り付けたとしても、取付部材１１の側縁部１１２が広がる方向に変形するのを防止できる。また、これにより、吊りボルト及びナットによる締め付け力を強くできるので、取付部材１１あるいは照明装置１が被取付面から外れてしまうのを防止できる。
（２）発光ユニットには受光部、無線受信部、センサ又はスイッチ部等の機能部が設けられていないため、発光ユニットのスペース効率や発光性が低下することがない。
（３）器具本体側に各機能部が設けられるため、照明装置１に付加された機能が異なっていても、発光ユニットを共通とすることができる。
（４）側板１２が樹脂材料で形成されているため、成形性が向上し、機能部の追加が容易となる。
（５）発光ユニットに機能部を追加する場合と異なり、消耗品である発光ユニットの交換時には発光ユニットのみを交換し、照明装置に追加する機能を変更したい場合には、機能部を備える側板のみを交換することができる。
【０１０２】
［その他］
本発明の技術的範囲は、図示され記載された例示的な実施形態に限定されるものではなく、本発明が目的とするものと均等な効果をもたらす全ての実施形態をも含む。さらに、本発明の技術的範囲は、請求項により画される発明の特徴の組み合わせに限定されるものではなく、全ての開示されたそれぞれの特徴のうち特定の特徴のあらゆる所望する組み合わせによって画されうる。
【符号の説明】
【０１０３】
１  照明装置
１０  器具本体
１３  バネ部
１１１  取付凹部
２０  発光ユニット
２１  発光素子
２２  透光性カバー
２２１  主カバー部
２２２  第１エンドカバー
２２３  第２エンドカバー
２４  支持部材
２４ｄ  貫通部
２５  基板固定部材
２８  電源部
１５０ａ〜１５０ｄ  底板突出部
１５１ａ〜１５１ｄ  底板部取り付け用孔部
１５３ａ〜１５３ｄ  座金
１５４ａ〜１５５ｄ  ボルト
１５５  収容空間部
１５９ａ〜１５９ｄ  吊りボルト
【図１】
0006570831.tif 000002
【図２】
0006570831.tif 000003
【図３】
0006570831.tif 000004
【図４】
0006570831.tif 000005
【図５】
0006570831.tif 000006
【図６】
0006570831.tif 000007
【図７】
0006570831.tif 000008
【図８】
0006570831.tif 000009
【図９】
0006570831.tif 000010
【図１０】
0006570831.tif 000011
【図１１】
0006570831.tif 000012
【図１２】
0006570831.tif 000013
【図１３】
0006570831.tif 000014
【図１４】
0006570831.tif 000015
【図１５】
0006570831.tif 000016
【図１６】
0006570831.tif 000017
【図１７】
0006570831.tif 000018
【図１８】
0006570831.tif 000019
【図１９】
0006570831.tif 000020
【図２０】
0006570831.tif 000021
【図２１】
0006570831.tif 000022
【図２２】
0006570831.tif 000023
【図２３】
0006570831.tif 000024
【図２４】
0006570831.tif 000025
【図２５】
0006570831.tif 000026
【図２６】
0006570831.tif 000027
【図２７】
0006570831.tif 000028